(57)【特許請求の範囲】
【請求項１】
吸気弁(２２)と排気弁の少なくとも一方を構成するポペット弁(１)と、ポヘット弁(１)の弁軸端部(２)に嵌合された弁キャップ(３)とを備えた、エンジンの吸排気弁装置において、
弁キャップ開口縁(５)に周方向に所定間隔を保持した最大幅面取り部(６)が設けられ、
隣合う最大幅面取り部(６)(６)の間の残り開口縁部(７)が、最大幅面取り部(６)の径方向の幅(Ｗ１)よりも径方向の幅(Ｗ２)が小さい小幅面取り部(８)で構成され、
弁軸端面(１０)の周縁部(１１)が、最大幅面取り部(６)の径方向の幅(Ｗ１)よりも径方向の幅(Ｗ３)が小さい小幅面取り部(１２)で構成され、
弁軸端面(１０)の周縁部(１１)の内側にある弁軸端面(１０)の弁キャップ当接面(１３)が、弁キャップ奥端面(１４)に密着している、ことを特徴とするエンジンの吸排気弁装置。
【請求項２】
請求項１に記載された、エンジンの吸排気弁装置において、
隣合う最大幅面取り部(６)(６)の間の残り開口縁部(７)が、最大幅面取り部(６)の径方向の幅(Ｗ１)よりも径方向の幅(Ｗ２)が小さい小幅面取り部(８)で構成されていることに代えて、
隣合う最大幅面取り部(６)(６)の間の残り開口縁部(７)が、面取りのないエッジ部で構成されている、ことを特徴とするエンジンの吸排気弁装置。
【請求項３】
請求項１または請求項２に記載された、エンジンの吸排気弁装置において、
弁軸端面(１０)の周縁部(１１)が、最大幅面取り部(６)の径方向の幅(Ｗ１)よりも径方向の幅(Ｗ３)が小さい小幅面取り部(１２)で構成されていることに代えて、
弁軸端面(１０)の周縁部(１１)が、面取りのないエッジ部で構成されている、ことを特徴とするエンジンの吸排気弁装置。
【発明の詳細な説明】
【技術分野】
【０００１】
本発明は、エンジンの吸排気弁装置に関し、詳しくは、ポペット弁や弁キャップの耐用寿命を長期化することができるエンジンの吸排気弁装置に関する。
【背景技術】
【０００２】
従来、エンジンの弁装置として、ポペット弁と、ポヘット弁の弁軸端部に嵌合された弁キャップとを備えたものがある(例えば、特許文献１参照)。
【０００３】
この種の弁装置によれば、エンジン運転中、弁キャップが回動し、ポペット弁の弁軸端面の偏磨耗を抑制することができる利点がある。
【０００４】
しかし、この特許文献１のものでは、弁軸端面の偏磨耗は抑制されるものの、弁軸端面や弁キャップ奥端面の磨耗速度が比較的速い。
【先行技術文献】
【特許文献】
【０００５】
【特許文献１】実開昭５６−３８１０１号公報(第１図〜第３図参照)
【発明の概要】
【発明が解決しようとする課題】
【０００６】
《問題点》  ポペット弁や弁キャップの耐用寿命が短い。
この特許文献１のものでは、弁軸端面や弁キャップ奥端面の磨耗速度が比較的速く、ポペット弁や弁キャップの耐用寿命が短い。
その理由は、次のように推定される。
すなわち、弁軸端面の周縁部の全周に径方向の幅が比較的広い大幅面取り部が形成されているため、弁軸端面と弁キャップ奥端面との接触面積が小さくなり、これらの面圧が高まり、弁軸端面や弁キャップ奥端面の磨耗速度が比較的速くなるものと推定される。
【０００７】
本発明の発明者らは、研究の結果、弁キャップの開口縁に周方向に所定間隔を保持した最大幅面取り部を設け、隣合う最大幅面取り部の間の残り開口縁部や、弁軸端面の周縁部を、最大幅面取り部の径方向の幅よりも径方向の幅が小さい小幅面取り部で構成するか、面取りのないエッジ部で構成すると、弁軸端面や弁キャップ奥端面の磨耗速度が遅くなり、ポペット弁や弁キャップの耐用寿命が長期化することを見出し、この発明に至った。  
【０００８】
本発明の課題は、ポペット弁や弁キャップの耐用寿命を長期化することができるエンジンの吸排気弁装置を提供することにある。
【課題を解決するための手段】
【０００９】
(請求項１に係る発明)
請求項１に係る発明の発明特定事項は、次の通りである。
図１に例示するように、吸気弁(２２)と排気弁の少なくとも一方を構成するポペット弁(１)と、ポヘット弁(１)の弁軸端部(２)に嵌合された弁キャップ(３)とを備えた、エンジンの吸排気弁装置において、
図２(Ａ)に例示するように、弁キャップ開口縁(５)に周方向に所定間隔を保持した最大幅面取り部(６)が設けられ、
隣合う最大幅面取り部(６)(６)の間の残り開口縁部(７)が、最大幅面取り部(６)の径方向の幅(Ｗ１)よりも径方向の幅(Ｗ２)が小さい小幅面取り部(８)で構成され、
図２(Ｃ)に例示するように、弁軸端面(１０)の周縁部(１１)が、最大幅面取り部(６)の径方向の幅(Ｗ１)よりも径方向の幅(Ｗ３)が小さい小幅面取り部(１２)で構成され、
図１に例示するように、弁軸端面(１０)の周縁部(１１)の内側にある弁軸端面(１０)の弁キャップ当接面(１３)が、弁キャップ奥端面(１４)に密着している、ことを特徴とするエンジンの吸排気弁装置。
【００１０】
(請求項２に係る発明)
請求項２に係る発明の発明特定事項は、次の通りである。
請求項１に記載された、エンジンの吸排気弁装置において、
図２(Ａ)に例示するように、隣合う最大幅面取り部(６)(６)の間の残り開口縁部(７)が、最大幅面取り部(６)の径方向の幅(Ｗ１)よりも径方向の幅(Ｗ２)が小さい小幅面取り部(８)で構成されていることに代えて、
隣合う最大幅面取り部(６)(６)の間の残り開口縁部(７)が、面取りのないエッジ部で構成されている、ことを特徴とするエンジンの吸排気弁装置。
【００１１】
(請求項３に係る発明)
請求項３に係る発明の発明特定事項は、次の通りである。
請求項１または請求項２に記載された、エンジンの吸排気弁装置において、
図２(Ｃ)に例示するように、弁軸端面(１０)の周縁部(１１)が、最大幅面取り部(６)の径方向の幅(Ｗ１)よりも径方向の幅(Ｗ３)が小さい小幅面取り部(１２)で構成されていることに代えて、
弁軸端面(１０)の周縁部(１１)が、面取りのないエッジ部で構成されている、ことを特徴とするエンジンの吸排気弁装置。
【発明の効果】
【００１２】
(請求項１に係る発明)
請求項１に係る発明は、次の効果を奏する。
《効果》  ポペット弁や弁キャップの耐用寿命を長期化することができる。
弁軸端面(１０)や弁キャップ奥端面(１４)の磨耗速度が比較的遅く、ポペット弁(１)や弁キャップ(３)の耐用寿命を長期化することできる。
その理由は、次のように推定される。
すなわち、図２(Ｃ)に例示するように、弁軸端面(１０)の周縁部(１１)が、最大幅面取り部(６)の径方向の幅(Ｗ１)よりも径方向の幅(Ｗ３)が小さい小幅面取り部(１２)で構成され、図１に例示するように、弁軸端面(１０)の周縁部(１１)の内側にある弁軸端面(１０)の弁キャップ当接面(１３)が、弁キャップ奥端面(１４)に密着しているため、弁軸端面(１０)と弁キャップ奥端面(１４)との接触面積が大きくなり、これらの面圧が低くなるためと推定される。
【００１３】
《効果》  ポペット弁や弁キャップの偏磨耗が抑制される。
図２(Ａ)に例示するように、弁キャップ開口縁(５)に周方向に所定間隔を保持した最大幅面取り部(６)が設けられ、隣合う最大幅面取り部(６)(６)の間の残り開口縁部(７)が、最大幅面取り部(６)よりも径方向の幅が小さい小幅面取り部(８)で構成されているため、小幅面取り部(８)がある分だけ、エンジン運転中、弁キャップ(３)の姿勢が傾きにくく、ポペット弁(１)や弁キャップ(３)の偏磨耗が抑制される。
【００１４】
《効果》  ポペット弁への弁キャップの取り付けが容易になる。
ポペット弁(１)の弁軸端部(２)に弁キャップ(３)が嵌り易く、ポペット弁(１)への弁キャップ(３)の取り付けが容易になる。
その理由は、次のように推定される。
すなわち、図２(Ａ)に例示するように、弁キャップ開口縁(５)に周方向に所定間隔を保持した最大幅面取り部(６)が設けられているため、最大幅面取り部(６)がある分だけ、弁軸端面(１０)の周縁部(１１)が弁キャップ開口縁(５)に嵌り易いためと推定される。
【００１５】
(請求項２に係る発明)
請求項２に係る発明は、弁キャップ(３)の小幅面取り部(８)と同じ機能をエッジ部が有するため、請求項１と同一の効果を奏する。
【００１６】
(請求項３に係る発明)
請求項３に係る発明は、弁軸端面(１０)の小幅面取り部(１２)と同じ機能をエッジ部が有するため、請求項１または請求項２と同一の効果を奏する。
【図面の簡単な説明】
【００１７】
【図１】本発明の実施形態に係るエンジンの吸排気装置の要部縦断面図である。
【図２】図１の吸排気装置で用いる弁キャップとポペット弁を説明する図で、図２(Ａ)は弁キャップの底面図、図２(Ｂ)は弁キャップの縦断面図、図２(Ｃ)はポペット弁の弁軸端部の平面図、図２(Ｄ)はポペット弁の弁軸端部の正面図である。
【図３】図１の吸排気装置を備えたエンジンの縦断正面図である。
【発明を実施するための形態】
【００１８】
図１〜図３は本発明の実施形態に係るエンジンの吸排気装置を説明する図であり、この実施形態では、立形ディーゼルエンジンの吸排気装置について説明する。
【００１９】
このエンジンの概要は、次の通りである。
図３に示すように、シリンダブロック(１５)の上部にシリンダヘッド(１６)が組み付けられ、シリンダヘッド(１６)の上部にシリンダヘッドカバー(１７)が組み付けられ、シリンダヘッド(１６)の横一側に吸気マニホールド(１８)が組み付けられ、シリンダヘッド(１６)の横他側に排気マニホールド(１９)か組み付けられ、シリンダブロック(１５)の下部にオイルパン(３１)が組み付けられている。
シリンダヘッド(１６)に吸気ポート(２０)と排気ポート(２１)とが設けられ、吸気ポート(２０)には吸気弁(２２)が配置され、排気ポート(２１)には排気弁(図示せず)が配置され、吸気弁(２２)と排気弁とは動弁カム軸(２３)からタペット(２４)とブッシュロッド(２５)とロッカアーム(２６)とを順に介して動弁駆動される。
【００２０】
この実施形態では、吸気弁(２２)と排気弁の双方いずれもがポペット弁で構成されている。
図１に示すように、吸気弁(２２)を構成するポペット弁(１)の弁軸端部(２)には弁キャップ(３)が嵌合されている。
ポペット弁(１)の弁軸(３２)は吸気ポート(２０)の弁ボス(２７)に挿入された弁ガイド(２８)に内嵌され、弁キャップ(３)の下方にバネ受け(２９)が取り付けられ、バネ受け(２９)と弁ボス(２７)との間に弁バネ(３０)が配置されている。
【００２１】
図２(Ａ)に示すように、弁キャップ開口縁(５)に周方向に所定間隔を保持した最大幅面取り部(６)が設けられている。
隣合う最大幅面取り部(６)(６)の間の残り開口縁部(７)が、最大幅面取り部(６)の径方向の幅(Ｗ１)よりも径方向の幅(Ｗ２)が小さい小幅面取り部(８)で構成されている。
図２(Ｃ)に示すように、弁軸端面(１０)の周縁部(１１)が、最大幅面取り部(６)の径方向の幅(Ｗ１)よりも径方向の幅(Ｗ３)が小さい小幅面取り部(１２)で構成されている。
図１に示すように、弁軸端面(１０)の周縁部(１１)の内側にある弁軸端面(１０)の弁キャップ当接面(１３)が、弁キャップ奥端面(１４)に密着している。
図２(Ａ)に示すように、最大幅面取り部(６)は、弁キャップ開口縁(５)の周方向に９０°の等間隔で４箇所形成されている。
最大幅面取り部(６)と小幅面取り部(１２)とはいずれもテーパ状に形成されている。
弁キャップ当接面(１３)と弁キャップ奥端面(１４)とはいずれも平坦面である。
排気弁も吸気弁(２２)と同様にして構成されている。
最大幅面取り部(６)と小幅面取り部(１２)とはいずれも円弧面状に形成してもよい。
【００２２】
図２(Ａ)に示すように、この実施形態では、隣合う最大幅面取り部(６)(６)の間の残り開口縁部(７)が、最大幅面取り部(６)の径方向の幅(Ｗ１)よりも径方向の幅(Ｗ２)が小さい小幅面取り部(８)で構成されているが、これに代えて、隣合う最大幅面取り部(６)(６)の間の残り開口縁部(７)が、面取りのないエッジ部で構成されていてもよい。
【００２３】
図２(Ｃ)に示すように、この実施形態では、弁軸端面(１０)の周縁部(１１)が、最大幅面取り部(６)の径方向の幅(Ｗ１)よりも径方向の幅(Ｗ３)が小さい小幅面取り部(１２)で構成されているが、これに代えて、弁軸端面(１０)の周縁部(１１)が、面取りのないエッジ部で構成されていてもよい。
【符号の説明】
【００２４】
(１) ポペット弁
(２) 弁軸端部
(３) 弁キャップ
(４) 弁キャップ中心軸
(５) 弁キャップ開口縁
(６) 最大幅面取り部
(７) 残り開口縁部
(８) 小幅面取り部
(９) 弁軸中心軸
(１０) 弁軸端面
(１１) 弁軸端面の周縁部
(１２) 小幅面取り部
(１３) 弁キャップ当接面
(１４) 弁キャップ奥端面
【図１】
0005970438.tif 000002
【図２】
0005970438.tif 000003
【図３】
0005970438.tif 000004